(57)【特許請求の範囲】
【請求項１】
載置された複数の被加熱物をそれぞれ加熱する複数の加熱部と、
ユーザーが操作して前記複数の加熱部から１つの加熱部を選択する選択部と、
前記選択部により選択された加熱部のタイマー設定を入力するタイマー操作部と、
前記複数の加熱部のタイマー設定状態に対応した表示を前記選択部の選択状態に応じて同じ領域内で切り替えて行うタイマー表示部と、
前記複数の加熱部を示す選択表示部と、
を備え、
前記複数の加熱部のうち少なくとも１つは他の加熱部より後方に配置されており、
前記選択部は、前記複数の加熱部が何れも選択されていないときに操作されると、前記複数の加熱部のうち最も後方に配された前記少なくとも１つの加熱部を最初に選択するようにするとともに、
前記選択表示部に前記選択部で選択されたタイマー機能を使用する加熱部を表示する、加熱調理器。
【請求項２】
載置された複数の被加熱物をそれぞれ加熱する複数の加熱部と、
ユーザーが操作して前記複数の加熱部から１つの加熱部を選択する選択部と、
前記選択部により選択された加熱部のタイマー設定を入力するタイマー操作部と、
前記複数の加熱部のタイマー設定状態に対応した表示を前記選択部の選択状態に応じて同じ領域内で切り替えて行うタイマー表示部と、
前記複数の加熱部を示す選択表示部と、
を備え、
前記複数の加熱部のうち少なくとも１つは他の加熱部より後方に配置されており、
前記複数の加熱部のうちの一部または全部の加熱部が加熱動作中の場合、前記選択部は、前記複数の加熱部が何れも選択されていないときに操作されると、前記加熱動作中の加熱部のうち最も後方に配された前記少なくとも１つの加熱部を最初に選択するようにするとともに、
前記選択表示部に前記選択部で選択されたタイマー機能を使用する加熱部を表示する、加熱調理器。
【請求項３】
載置された複数の被加熱物をそれぞれ加熱する複数の加熱部と、
ユーザーが操作して前記複数の加熱部から１つの加熱部を選択する選択部と、
前記選択部により選択された加熱部のタイマー設定を入力するタイマー操作部と、
前記複数の加熱部のタイマー設定状態に対応した表示を前記選択部の選択状態に応じて同じ領域内で切り替えて行うタイマー表示部と、
前記複数の加熱部を示す選択表示部と、
を備え、
前記選択部は、前記複数の加熱部が何れも選択されていないときに操作されると、前記複数の加熱部のうち最大出力が最も小さい加熱部を最初に選択するするとともに、
前記選択表示部に前記選択部で選択されたタイマー機能を使用する加熱部を表示する、加熱調理器。
【請求項４】
載置された複数の被加熱物をそれぞれ加熱する複数の加熱部と、
ユーザーが操作して前記複数の加熱部から１つの加熱部を選択する選択部と、
前記選択部により選択された加熱部のタイマー設定を入力するタイマー操作部と、
前記複数の加熱部のタイマー設定状態に対応した表示を前記選択部の選択状態に応じて同じ領域内で切り替えて行うタイマー表示部と、
前記複数の加熱部を示す選択表示部と、
を備え、
前記複数の加熱部のうちの一部または全部の加熱部が加熱動作中の場合、前記選択部は、前記複数の加熱部が何れも選択されていないときに操作されると、前記加熱動作中の加熱部のうち最大出力が最も小さい加熱部を最初に選択するとともに、
前記選択表示部に前記選択部で選択されたタイマー機能を使用する加熱部を表示する、加熱調理器。
【発明の詳細な説明】
【技術分野】
【０００１】
本発明は、複数の加熱部に対して共用のタイマー表示部を有する加熱調理器に関するものである。
【背景技術】
【０００２】
従来、この種の加熱調理器は、複数の加熱部と、タイマー制御の対象となる加熱部を選択する選択部と、前記選択部により選択された加熱部の情報を表示する表示部とを備え、前記選択部により情報を表示する加熱部を選択する際の最初の操作時は、複数の加熱部のうち加熱動作している加熱部を優先して選択できる加熱調理器が開示されている（例えば、特許文献１参照）。
【先行技術文献】
【特許文献】
【０００３】
【特許文献１】特開２００２−５４５４号公報
【発明の概要】
【発明が解決しようとする課題】
【０００４】
しかしながら、前記従来の構成では、前記選択部で選択する際に煮込み調理などで調理時間を設定するタイマーを使用する機会の多い後方の低火力用の加熱部を選択するまで選択部を複数回押下する必要があり、煮込み調理の際のタイマー設定が毎回煩わしいという課題を有していた。
【０００５】
本発明は、前記従来の課題を解決するもので、タイマーを設定する際の操作回数を低減させ、使い勝手の良い加熱調理器を提供することを目的とする。
【課題を解決するための手段】
【０００６】
前記従来の課題を解決するために、本発明の加熱調理器は、複数の被加熱物をそれぞれ載置して加熱する複数の加熱部と、ユーザーが操作して前記複数の加熱部から１つの加熱部を選択する選択部と、前記選択部により選択された加熱部のタイマー設定を入力するタイマー操作部と、前記複数の加熱部のタイマー設定状態に対応した表示を前記選択部の選択状態に応じて同じ領域内で行うタイマー表示部と、前記複数の加熱部を示す選択表示部と、を備え、前記複数の加熱部のうち少なくとも１つは他の加熱部より後方に配置されており、前記選択部は、前記複数の加熱部が何れも選択されていないときに操作されると、前記複数の加熱部のうち最も後方に配された前記少なくとも１つの加熱部を最初に選択するとともに、前記選択表示部に前記選択部で選択されたタイマー機能を使用する加熱部を表示する、ようにしたものである。
【０００７】
これによって、選択部により複数の加熱部のうち最も後方に配された加熱部を優先的に選択することができる。また、使用者は、タイマー機能を使用する加熱部を認識できるので使い勝手が良い。
【発明の効果】
【０００８】
本発明の加熱調理器は、表示部の実装面積を抑えるタイマー表示構成でありながら、タイマー設定する加熱部を選択部で選択する際に煮込み調理などで調理の作業が少なく調理時間を設定するタイマーを使用する機会の多い後方の低火力用の加熱部を少ない操作で選択することができ、毎回の煮込み調理の際のタイマー設定が簡略化でき、タイマーを設定
する際の操作回数を低減させ、使い勝手の良い加熱調理器を得ることができる。また、使用者は、タイマー機能を使用する加熱部を認識できるので使い勝手が良い。
【図面の簡単な説明】
【０００９】
【図１】本発明の実施の形態１における加熱調理器の構成を示すブロック図
【図２】本発明の実施の形態１における加熱調理器の上面視図
【図３】本発明の実施の形態１における第１の操作表示部３ａの構成を示す図
【発明を実施するための形態】
【００１０】
第１の発明は、載置された複数の被加熱物をそれぞれ加熱する複数の加熱部と、ユーザーが操作して前記複数の加熱部から１つの加熱部を選択する選択部と、前記選択部により選択された加熱部のタイマー設定を入力するタイマー操作部と、前記複数の加熱部のタイマー設定状態に対応した表示を前記選択部の選択状態に応じて同じ領域内で切り替えて行うタイマー表示部と、前記複数の加熱部を示す選択表示部と、を備え、前記複数の加熱部のうち少なくとも１つは他の加熱部より後方に配置されており、前記選択部は、前記複数の加熱部が何れも選択されていないときに操作されると、前記複数の加熱部のうち最も後方に配された前記少なくとも１つの加熱部を最初に選択するとともに、前記選択表示部に前記選択部で選択されたタイマー機能を使用する加熱部を表示する、ようにしたものである。これによって、タイマー機能を使用せずに鍋振りなどを行う炒め物や調理物を返すなどの作業が必要な焼き物などを主に行う前方の加熱部を使用中または使用予定であっても、タイマー機能を使用して煮込み調理などを行う後方の加熱部をタイマー設定のために選択部で選択する際に少ない操作で選択することができ、毎回の煮込み調理の際のタイマー
設定が簡略化でき、タイマーを設定する際の操作回数を低減させ、使い勝手の良い加熱調理器を得ることができる。また、使用者は、タイマー機能を使用する加熱部を認識できるので使い勝手が良い。
【００１１】
第２の発明は、載置された複数の被加熱物をそれぞれ加熱する複数の加熱部と、ユーザーが操作して前記複数の加熱部から１つの加熱部を選択する選択部と、前記選択部により選択された加熱部のタイマー設定を入力するタイマー操作部と、前記複数の加熱部のタイマー設定状態に対応した表示を前記選択部の選択状態に応じて同じ領域内で切り替えて行うタイマー表示部と、前記複数の加熱部を示す選択表示部と、を備え、前記複数の加熱部のうち少なくとも１つは他の加熱部より後方に配置されており、前記複数の加熱部のうちの一部または全部の加熱部が加熱動作中の場合、前記選択部は、前記複数の加熱部が何れも選択されていないときに操作されると、前記加熱動作中の加熱部のうち最も後方に配された前記少なくとも１つの加熱部を最初に選択するとともに、前記選択表示部に前記選択部で選択されたタイマー機能を使用する加熱部を表示する、ようにしたものである。これによって、タイマー機能を使用せずに鍋振りなどを行う炒め物や調理物を返すなどの作業が必要な焼き物などを主に行う前方の加熱部を使用中または使用予定であっても、タイマー機能を使用して煮込み調理などを行う後方の加熱部をタイマー設定のために選択部で選択する際に少ない操作で選択することができ、最も後方の加熱部を使用しないときに使用中の加熱部の中から最も後方の加熱部でタイマー調理を行うための操作が簡略化でき、タイマーを設定する際の操作回数を低減させ、使い勝手の良い加熱調理器を得ることができる。また、使用者は、タイマー機能を使用する加熱部を認識できるので使い勝手が良い。
【００１２】
第３の発明は、載置された複数の被加熱物をそれぞれ加熱する複数の加熱部と、ユーザーが操作して前記複数の加熱部から１つの加熱部を選択する選択部と、前記選択部により選択された加熱部のタイマー設定を入力するタイマー操作部と、前記複数の加熱部のタイマー設定状態に対応した表示を前記選択部の選択状態に応じて同じ領域内で切り替えて行うタイマー表示部と、前記複数の加熱部を示す選択表示部と、を備え、前記選択部は、前記複数の加熱部が何れも選択されていないときに操作されると、前記複数の加熱部のうち最大出力が最も小さい加熱部を最初に選択するとともに、前記選択表示部に前記選択部で選択されたタイマー機能を使用する加熱部を表示する、ようにしたものである。これによって、タイマー機能を使用せずに高火力で調理を行う炒め物や湯沸しなどを主に行う高火力用の加熱部を使用中または使用予定であっても、タイマー機能を使用して煮込み調理などを行う低火力用の加熱部をタイマー設定のために選択部で選択する際に少ない操作で選択することができ、毎回の煮込み調理の際のタイマー設定が簡略化でき、タイマーを設定する際の操作回数を低減させ、使い勝手の良い加熱調理器を得ることができる。また、使用者は、タイマー機能を使用する加熱部を認識できるので使い勝手が良い。
【００１３】
第４の発明は、載置された複数の被加熱物をそれぞれ加熱する複数の加熱部と、ユーザーが操作して前記複数の加熱部から１つの加熱部を選択する選択部と、前記選択部により選択された加熱部のタイマー設定を入力するタイマー操作部と、前記複数の加熱部のタイマー設定状態に対応した表示を前記選択部の選択状態に応じて同じ領域内で切り替えて行うタイマー表示部と、前記複数の加熱部を示す選択表示部と、を備え、前記複数の加熱部のうちの一部または全部の加熱部が加熱動作中の場合、前記選択部は、前記複数の加熱部が何れも選択されていないときに操作されると、前記加熱動作中の加熱部のうち最大出力が最も小さい加熱部を最初に選択するとともに、前記選択表示部に前記選択部で選択されたタイマー機能を使用する加熱部を表示する、ようにしたものである。これによって、タイマー機能を使用せずに高火力で調理を行う炒め物や湯沸しなどを主に行う高火力用の加熱部を使用中または使用予定であっても、タイマー機能を使用して煮込み調理などを行う低火力用の加熱部をタイマー設定のために選択部で選択する際に少ない操作で選択することができ、最も低火力用の加熱部を使用しないときに使用中の加熱部の中から最も低火力の加熱部でタイマー調理を行うための操作が簡略化でき、タイマーを設定する際の操作回数を低減させ、使い勝手の良い加熱調理器を得ることができる。また、使用者は、タイマー機能を使用する加熱部を認識できるので使い勝手が良い。
【００１４】
以下、本発明の実施の形態について、図面を参照しながら説明する。なお、この実施形態によって本発明が限定されるものではない。
【００１５】
（実施の形態１）
図１は、本発明の実施の形態１における加熱調理器の構成を示すブロック図を示すものである。
【００１６】
図１において、第１の加熱部１ａは、第１の操作表示部３ａからの操作情報を基に制御部２により加熱制御されて被加熱物１ａｐを加熱し、同様に第２の加熱部１ｂは、第２の操作表示部３ｂからの操作情報を基に制御部２により加熱制御されて被加熱物１ｂｐを加熱し、第３の加熱部１ｃは、第３の操作表示部３ｃからの操作情報を基に制御部２により加熱制御されて被加熱物１ｃｐを加熱する。選択表示部４は第１の加熱部１ａ、第２の加熱部１ｂ、第３の加熱部１ｃにそれぞれ対応した表示を有し、選択部５の操作情報を基に制御部２により何れか１つの加熱部を示す表示を選択表示する。タイマー表示部６はタイマー調理の設定値または調理の残り時間を数値表示でき、表示されるタイマー調理の設定値はタイマー操作部７の操作情報を基に制御部２により変更および設定される。
【００１７】
図２は、本発明の実施の形態１における加熱調理器の上面視図を示すものである。
【００１８】
図２において、第１の操作表示部３ａは第１の加熱部１ａに対応して加熱面８のユーザー９に近い側に配置され、同様に第２の操作表示部３ｂは第２の加熱部１ｂに対応して加熱面８のユーザー９に近い側に配置され、第３の操作表示部３ｃは第３の加熱部１ｃに対応して加熱面８のユーザー９に近い側に配置される。第１の操作表示部３ａと第２の操作表示部３ｂの間の位置には選択表示部４、選択部５、タイマー表示部６、タイマー操作部７が配置される。第１の加熱部１ａは最大火力が３ｋＷであり、加熱面８の右側中央付近に配置され、第２の加熱部１ｂは最大火力が２ｋＷであり、加熱面８の左側手前側（ユーザー９に近い側）に配置され、第３の加熱部１ｃは最大火力が１．５ｋＷであり、加熱面８の左側奥側（ユーザー９から遠い側）に配置されている。
【００１９】
以上のように構成された加熱調理器について、以下その動作、作用を説明する。
【００２０】
ユーザーによってロッカースイッチやマイクロスイッチなどで構成された図示していない加熱調理器の主電源を入にすると、ブザーもしくはスピーカーなどにより構成された図示していない報知部により音を発生させると共に、電源が入状態になったことをユーザーに知らせるためにＬＥＤ等で構成された図示していない電源表示部を点灯させる。以降、上記電源投入直後の状態を初期モードと呼ぶ。
【００２１】
初期モードにからは、第１の操作表示部３ａ、第２の操作表示部３ｂ、第３の操作表示部３ｃを含む各操作スイッチにより、鍋をユーザーが設定した設定火力にて加熱する加熱モード、油の入った鍋をユーザーが設定した設定温度に調節して揚げ物を行う揚げ物モード、フライパンなどをユーザーが設定した設定温度に調節して焼き物を行う焼き物モード
、前記第１の加熱部１ａ〜第３の加熱部１ｃとは別のグリル部にてグリル調理を行うグリル調理モード、子供が誤って操作しないように所定の操作スイッチの操作を無効とするようにロックをかけておくチャイルドロックモード、電源を切状態にする電源切モードなどに移行できる。
【００２２】
図３は本発明の実施の形態１における第１の操作表示部３ａの構成を示す図である。以下、図３を参照しながら、第１の操作表示部３ａにおける操作の例を説明する。
【００２３】
第１の加熱部１ａの上に載置した第１の被加熱物１ａｐを加熱モードにて加熱する場合は第１の操作表示部３ａに設けられた加熱切／入スイッチ１１を押下して加熱モードに移行させる。また、揚げ物モードにて揚げ物調理を行うなど、他のモードで加熱する場合も同様に揚げ物切／入スイッチまたは該当の調理開始のためのスイッチを設け、各モードのスイッチを押下して各調理モードに移行させるようにしてもよいが、調理モードが多くなるとスイッチの数も増えて操作表示部の占有面積が大きくなる不都合があるため、スイッチを少なくするために本実施の形態では第１の操作表示部３ａにメニュースイッチ１２を設け、メニュースイッチ１２を複数回押すことでメニュー表示部１６の表示を切り替えて、加熱モード、揚げ物モード、焼き物モードを選択し、加熱切／入スイッチ１１を押下することにより該当モードが開始されるようにしている。
【００２４】
加熱モードに移行して第１の加熱部１ａの加熱が開始されると、対応する第１の操作表示部３ａにて、ユーザーに現在の設定火力や加熱モード中であることなどの加熱に関する情報をＬＥＤまたは液晶表示などにより構成される火力表示部１５で表示することによって知らせることができる。
【００２５】
加熱モード中に第１の操作表示部３ａに設けられた加熱アップキー１３もしくは加熱ダウンキー１４を押下することにより、加熱モードにおける設定火力を変更することができる。この際、加熱アップキー１３、加熱ダウンキー１４を押下するごとに第１の操作表示部３ａの火力表示部１５の表示が同時に変更されるため、ユーザーは火力表示部１５に表示される設定火力の状態を見ながら操作することができる。また、第１の加熱部１ａの上に加熱するための鍋などの第１の被加熱物１ａｐがなければ、例えば火力表示部１５を点灯状態から点滅状態に変えることで第１の加熱部１ａの上に加熱される鍋が載置されていないことをユーザーに知らせることもできる。
【００２６】
以下、第２の加熱部１ｂの上に載置した第２の被加熱物１ｂｐを加熱する場合は第２の操作表示部３ｂを同様に操作し、第３の加熱部１ｃの上に載置した第３の被加熱物１ｃｐを加熱する場合は第３の操作表示部３ｃを同様に操作すればよい。なお、加熱部によって有効なモードやスイッチは異なり、表示内容も異なる。例えば、第２の加熱部１ｂの最大火力は２ｋＷであり、相当する火力設定値は７であるため、第２の操作表示部３ｂにおいて、火力表示部１５は７を最大値とし、火力の８と９の表示は存在せず、第３の加熱部１ｃの最大火力は１．５ｋＷであり、相当する火力設定値は６であるため、同様に第３の操作表示部３ｃにおいて、火力表示部１５は火力の７〜９の表示は存在しない。さらに、第３の加熱部１ｃは揚げ物モードと焼き物モードを備えないため、第３の操作表示部３ｃにはメニュースイッチ１２は存在せず、メニュー表示部１６も「揚げ物」と「焼き物」の表示は存在しない。
【００２７】
本実施の形態における加熱調理器は、加熱モードのタイマー時間を設定して、タイマー時間が経過すると加熱モードによる加熱を停止するタイマー機能を備えている。そして、タイマー機能は複数の加熱部において同時に動作することができる。但し、タイマー機能のタイマー時間を設定するためのタイマー操作部７およびタイマー時間を表示するためのタイマー表示部６は各加熱部において共用としており、各々１つのみ設けている。
【００２８】
タイマー時間の設定を行う場合は、選択部５にてタイマー機能を使用する加熱部を選択してから操作する。選択部５は、所望の加熱部を選択する選択キー５ａで構成され、選択キー５ａを押下すると現在の選択されている加熱部を選択表示部４に表示する。
【００２９】
本実施の形態の選択表示部４は、図１に記載のように、加熱面の上面視を縮小したような配置で加熱部の数だけランプが設けられ、選択されている加熱部に対応したランプが点灯することで選択状態をユーザーに知らせている。選択表示部４は上記方法に限らず、各加熱部の近傍にそれぞれランプを設けたり、各加熱部がリスト状に表記されたものを選択的に点灯させたりしてもよく、選択されている加熱部をユーザー９が認識できるのであれば、その方法は問わない。
【００３０】
何れの加熱部も加熱動作していない初期モードにおいて、選択キー５ａを押下すると、複数の加熱部の中で加熱面８において最も後方でユーザー９から遠くに配置され、ユーザー９にとって一般的に最も使用頻度が少なくなると思われる第２の加熱部１ｂが最初に選択される。さらに選択キー５ａを押下すると予め決められた順番（例えば最も後方に配置される第２の加熱部１ｂ→次に後方に配置される第１の加熱部１ａ→最も手前側に配置される第３の加熱部１ｃの順）で各々の加熱部が選択される。また選択キー５ａを押下して全ての選択可能な加熱部が一旦選択された状態でさらに選択キー５ａを押下すると、ブザー等で加熱部の選択が一巡したことを知らせるとともに選択表示部４の選択状態を解除し消灯して初期モードに戻る。なお、本実施の形態において第２の加熱部１ｂの次に選択される加熱部は次に後方に配置される第１の加熱部１ａでなくてもよく、最初に選択される加熱部が最も後方に配置される加熱部であればよい。
【００３１】
一方、何れかの加熱部が加熱モードで動作中である場合は、加熱モード動作中の加熱部が優先的に選択されるように動作する。例えば、選択部５は何れの加熱部も選択しておらず、選択表示部４の選択状態を示す表示がされていない場合において、第１の加熱部１ａと第３の加熱部１ｃが加熱モードで動作中であり、第２の加熱部１ｂは加熱停止中の場合に選択キー５ａを押下すると、加熱モードで加熱動作中の加熱部の中で加熱面８において最も後方でユーザー９から遠くに配置される第１の加熱部１ａが最初に選択される。なお、本実施の形態においては、全ての加熱部が加熱停止中の場合も、一部の加熱部が加熱モードで加熱中である場合もタイマー機能の設定のための加熱部の選択操作ができるようにしているが、加熱動作中の加熱部が存在する場合にのみ加熱部の選択操作ができるようにしてもよく、その場合はタイマー機能は加熱中の加熱部に対してのみ使用できるようにしてもよい。
【００３２】
具体的にユーザーが作業を行うための複数の選択肢の中から選択操作により順に選択するような動作をする場合、一般的には、最も使用頻度の高いものから選択するようにしたり、選択肢の配置により一般感覚から例えば左右の端から、あるいは手前側から順に選択したりする場合が多い。但し、例えば、略水平面に設けた具体的な作業を伴わないランプなどによる単なる選択肢が前後方向に並んでいる場合に選択肢を表示している表示面における上方向、すなわち物理的にはユーザーから遠い後方側から選択するような場合は除く。しかし、本実施の形態においては、あえて作業を行う上では最も使用頻度あるいはユーザーの使用意識が低いと思われる、ユーザーから最も遠い後方の位置の選択肢を最初に選択するようにしている。上記のような選択順としている意味は、加熱調理器特有の状況として、タイマー機能を最も使用すると思われる調理が長時間の煮込み調理であることによる。煮込み調理は、調理物を焦げ付かせたり、吹き零れさせたりしないように低火力で長時間調理するものなので、煮込み調理を使用頻度の高い手前側の高火力まで使用できる加熱部を長時間占有してしまうと他の調理が出来ないなどの支障がでることがある。また、煮込み調理は、時々かき混ぜるなどの作業が必要な場合もあるが、通常は低火力で放置し
て調理する場合が多く、手前側の加熱部で煮込み調理を行っているときに同時に後方の加熱部で炒め物などの調理時に鍋の操作頻度が高い調理を行うことは困難である。以上の理由から、煮込み調理はなるべく使用頻度が低い後方の加熱部を利用して調理することが望ましく、ユーザーの煮込み調理に対する意図を考慮してあえて使用頻度の低い最も後方の加熱部から優先的に選択するようにしている。なお、タイマー機能を使用する状況としては必ずしも煮込み調理に限らないが、少なくとも調理物を裏返したり鍋を振ったりという被加熱物への操作を伴う調理を行う際は調理物の出来栄えを確認しながらの調理であり、タイマー機能を使用することは殆どなく、一方、タイマー機能を使用して調理する場合は鍋操作を殆ど行わない放置型調理である場合が殆どであるため、煮込み調理と同様の状況であると言える。
【００３３】
なお、ある加熱部が他の加熱部よりも後方かどうかの判断については、加熱部に載置する被加熱物の位置で判断すればよいので、加熱部の大きさに関わらず加熱部の加熱領域の中心が他と比べて後方かどうかで判断すればよい。
【００３４】
そして何れかの加熱部が選択された状態において、タイマー操作部７に設けられたタイマーアップキー７ａあるいはタイマーダウンキー７ｂを押下することでタイマー時間がタイマー表示部６に分単位で数値表示され、タイマーアップキー７ａを押下するとタイマー表示部６の数値が１だけ加算され、タイマーダウンキー７ｂを押下するとタイマー表示部６の数値が１だけ減算される。
【００３５】
タイマー機能が作動するタイミングは、加熱部の動作モードが初期モードであるか加熱モードであるかで異なる。初期モード時にタイマー設定を行った場合は、タイマー設定後に対象の加熱部の加熱切／入キー１１を押下して加熱が開始したタイミングでタイマー機能が作動してタイマー時間のカウントダウンが開始され、タイマー表示部６に表示される数値はタイマー残時間として１分毎に１ずつ減算する。
【００３６】
もしも、タイマー設定後に対象の加熱部の加熱切/入キー１１が一定時間（例えば１分）押下されなければ、タイマー設定がキャンセルされて初期モードに戻る。
【００３７】
一方、加熱モード時にタイマー設定を行った場合は、タイマー時間を設定した直後にタイマー機能が作動してタイマー時間のカウントダウンが開始され、タイマーアップキー７ａあるいはタイマーダウンキー７ｂを押下する毎にタイマー時間のカウントダウンをリセットしてタイマー表示部６に表示されているタイマー時間から改めてカウントダウンを開始する。
【００３８】
タイマー機能の作動中にタイマーアップキー７ａを押下した場合は、タイマー表示部６に表示されているタイマー残時間の数値から設定時間最小単位分（例えば１分）を押下する毎に加算していき、タイマーダウンキー７ｂを押下した場合は、タイマー表示部６に表示されているタイマー残時間の数値から設定時間最小単位分（例えば１分）を押下する毎に減算する。
【００３９】
このとき、タイマー表示部に表示されているタイマー設定時間によってタイマー操作部７の操作による加算あるいは減算するときの設定時間最小単位を複数段階に分けることで、より利便性が増す。例えば、タイマー設定時間が１〜２０分までは１分単位、２０〜６０分までは５分単位、６０〜９０分は１０分単位としてもよい。また、タイマー設定時間が０分の時にタイマーダウンキー７ｂを押下した場合は、タイマー設定可能な最大時間（例えば９０分）を設定する。タイマーアップキー７ａあるいはタイマーダウンキー７ｂを押下したまま維持する長押し（例えば３秒以上）をした場合には、タイマー表示部６に表示されている数値を早く（例えば０．３秒毎）切り替わるようにし、どの設定時間に設定
する場合であってもユーザーにストレスがかかりにくいようにしている。
【００４０】
タイマーアップキー７ａとタイマーダウンキー７ｂの操作によりタイマー表示部６に表示される設定時間の数値が０になる場合には、ブザー等で設定時間が０分になったことを知らせる。そして、タイマー表示部６に表示されている数値が０の状態が一定時間（例えば１分間）継続すると、タイマー選択中である状態がキャンセルされ、選択キー５ａを押下する前の状態に戻る。
【００４１】
以上の操作によりタイマー機能を作動させてカウントダウンを開始し、設定時間が経過した場合は、ブザー等でユーザーに伝えるとともに、タイマー設定時間が経過したの加熱部の加熱を停止させる。
【００４２】
これまで、単一の加熱部に対してタイマー設定をする場合について説明してきたが、複数の加熱部に対してタイマー設定をする場合も操作方法は同様であり、相違点はタイマー表示部６にて選択対象の加熱部の表示方法にある。タイマー設定を行うために選択されている加熱部に対応する選択表示部４のランプを点滅させるのは単一の加熱部に対して設定する場合と同じであるが、他の加熱部にタイマー設定が既にされている場合は、タイマー機能が作動している加熱部に対応する選択表示部４のランプを点灯させ、選択表示部４を見ただけでタイマー機能が作動している加熱部を判別できるようにしている。また、タイマー表示部６に表示しているタイマー残時間は、タイマー表示部６において点滅しているランプに対応した加熱部に対応したタイマー残時間が表示される。表示されているタイマー残時間に対応した加熱部とは異なる加熱部のタイマー残時間表示に切り替えるには、選択キー５ａを押下して所望の加熱部に対応した選択表示部４のランプが点滅するように選択すればよい。
【００４３】
以上の構成とすることにより、表示部の実装面積を抑えるタイマー表示構成でありながら、タイマー設定する加熱部を選択部で選択する際に煮込み調理などで調理の作業が少なく調理時間を設定するタイマーを使用する機会の多い後方の加熱部を少ない操作で選択することができ、毎回の煮込み調理の際のタイマー設定が簡略化でき、タイマーを設定する際の操作回数を低減させ、ユーザーの利便性を向上させることができる。
（実施の形態２）
次に本発明の実施の形態２について説明する。実施の形態１と同一部分は説明を省略し、相違点についてのみ説明する。
【００４４】
何れの加熱部も加熱動作していない初期モードにおいて、選択キー５ａを押下すると、複数の加熱部の中で最も最大火力の小さい第２の加熱部１ｂが選択される。さらに選択キー５ａを押下すると予め決められた順番（例えば最も最大火力の小さい第２の加熱部１ｂ→次に最大火力の小さい第３の加熱部１ｃ→最も最大火力の大きい第１の加熱部１ａの順）で各々の加熱部が選択される。なお、本実施の形態において第２の加熱部１ｂの次に選択される加熱部は次に最大火力の小さい第３の加熱部１ｃでなくてもよく、最初に選択される加熱部が最も最大火力の小さい加熱部であればよい。
【００４５】
一方、何れかの加熱部が加熱モードで動作中である場合は、加熱モード動作中の加熱部が優先的に選択されるように動作する。例えば、第１の加熱部１ａと第３の加熱部１ｃが加熱モードで動作中であり、第２の加熱部１ｂは加熱停止中の場合に選択キー５ａを押下すると、加熱モードで加熱動作中の加熱部の中で最も最大火力の小さい第３の加熱部１ｃが選択される。
【００４６】
一般的に、選択操作により複数の中から順に選択する場合、最も使い勝手の良いものから選択するようにしたり、選択肢の配置により一般感覚から例えば左右の端から、あるい
は手前側から順に選択したりする場合が多いが、本実施の形態においては、あえて使い勝手が悪いと思われる最大火力の小さい選択肢から選択するようにしている。上記の動作としている意味としては、加熱調理器特有の状況として、タイマー機能を最も使用すると思われる調理が長時間の煮込み調理であることによる。煮込み調理は、調理物を焦げ付かせたり、吹き零れさせたりしないように低火力で長時間調理するものなので、煮込み調理により高火力まで使用できる加熱部を長時間占有してしまうと他の高火力が必要な調理が出来なくなるという支障がでることがある。以上の理由から、煮込み調理はなるべく最大火力の小さい加熱部を利用して調理することが望ましく、ユーザーの煮込み調理に対する意図を考慮してあえて最大火力の小さい加熱部から優先的に選択するようにしている。
【００４７】
以上のような構成により、表示部の実装面積を抑えるタイマー表示構成でありながら、タイマー設定する加熱部を選択部で選択する際に煮込み調理などで調理時間を設定するタイマーを使用する機会の多い低火力用の加熱部を少ない操作で選択することができ、毎回の煮込み調理の際のタイマー設定が簡略化でき、タイマーを設定する際の操作回数を低減させ、ユーザーの利便性を向上させることができる。
【産業上の利用可能性】
【００４８】
以上のように、本発明にかかる加熱調理器は、複数の加熱部に対して共用のタイマーを有する場合においてもユーザーの利便性を向上させることができるので、一般家庭や業務用に使用される加熱調理器において有効である。
【符号の説明】
【００４９】
１ａ  第１の加熱部
１ｂ  第２の加熱部
１ｃ  第３の加熱部
５  選択部
６  タイマー表示部
７  タイマー操作部
【図１】
0006368914.tif 000002
【図２】
0006368914.tif 000003
【図３】
0006368914.tif 000004